(57)【要約】【課題】タグ携帯の有無及びそのタグ数の認証と、画像分析による人数カウントとに基づいて正確な入退出者数をカウントするようにしてより高度のセキュリティ管理を行えるようにした入退場管理システムにおける共連れ防止方法を提供すること。【解決手段】固定側に配置したコントローラＣＴＬと、各種情報などを予め入力したタグＴ間を光信号及び／又は電波にて送受信した情報と、認証用データベースの情報とに基づいて判定して位置ＩＤ及びタグＩＤを認証し、かつ該認証判定によるカウント数と、カメラによる画像分析の人数カウントとを比較し、その判定結果に基づいてタグ不携帯者の共連れ不正侵入を防止する。【選択図】図１
2006099381.tif 000002
【特許請求の範囲】
【請求項１】
固定側に配置したコントローラと、各種情報などを予め入力したタグ間を光信号及び／又は電波にて送受信した情報と、認証用データベースの情報とに基づいて判定して位置ＩＤ及びタグＩＤを認証し、かつ該認証判定によるカウント数と、カメラによる画像分析の人数カウントとを比較し、その判定結果に基づいてタグ不携帯者の共連れ不正侵入を防止するようにしたことを特徴とする入退場管理システムにおける共連れ防止方法。
【請求項２】
コントローラ、タグ間の光信号による送受信を、自立型発光ＬＥＤにて行うようにしたことを特徴とする請求項１記載の入退場管理システムにおける共連れ防止方法。
【請求項３】
タグＩＤによるカウント数と、カメラによる画像分析の人数カウントとの判定結果に基づいて、防犯管理用機器を操作するように構成したことを特徴とする請求項１又は２記載の入退場管理システムにおける共連れ防止方法。
【請求項４】
防犯管理用機器を、警報器、ゲート用電気錠、録画機能を備えた録画式防犯カメラのいずれかの１又は２以上を組み合わせて構成したことを特徴とする請求項３記載の入退場管理システムにおける共連れ防止方法。
【発明の詳細な説明】
【技術分野】
【０００１】
本発明は、入退場管理システムにおける共連れ防止方法に関し、特に、タグ不携帯の非許可者がタグを携帯（所有）した許可者と一緒に入場する、所謂共連れを防止するようにした入退場管理システムにおける共連れ防止方法に関するものである。
【背景技術】
【０００２】
従来、防犯を兼ねた入退場管理システムとしては、アンテナを備えたタグ受信器と人が携帯するようにしたタグとより構成するＲＦＩＤを、施設の出入口或いはその近傍に配設し、これによりタグを携帯した許可者とタグ不携帯者とを識別して施設への入退場を正確に管理するようにした入退場管理システム（特許文献１）や、さらには波長が異なる複数の赤外線発信装置と複数の人がそれぞれ所持した複数のタグとを組み合わせて各タグ携帯者の個別的な出入りを正確に管理するようにした入退場管理システム（特許文献２）が提案されている。
【０００３】
ところで、ＲＦＩＤを備えた入退場管理システムにおいては、施設へ入退場する人の許可者と非許可者との識別を、タグ携帯の有無により行うことで、施設への入退場者を正確に管理し、防犯することができる。
また、波長が異なる複数の赤外線発信装置と複数のタグとより構成する入退場管理システムにおいては、タグを携帯した許可者とタグを携帯しない非許可者とを識別して防犯の作用を有するとともに、同時にタグを携帯した複数の許可者の各人の動向をも管理することができる。
【０００４】
しかしながら、ＲＦＩＤ或いは赤外線を利用したいずれの入退場管理システムにおいても、タグ携帯の有無により正規の入退場者と不正入退場者との識別するようにしているからも、タグ携帯者が入場するとき、タグを携帯していない人が一緒に入場しようとするような場合、タグを携帯していない人を入場できないようチェックすることができないので、所謂共連れを防止チェックすることができないという問題があった。
【特許文献１】特開２００２−３３４３８２号公報
【特許文献２】特開２００３−２１６７９号公報
【発明の開示】
【発明が解決しようとする課題】
【０００５】
本発明は、上記従来の入退場管理システムの有する問題点に鑑み、タグ携帯の有無及びそのタグ数の認証と、画像分析による人数カウントとに基づいて正確な入退出者数をカウントするようにしてより高度のセキュリティ管理を行えるようにした入退場管理システムにおける共連れ防止方法を提供することを目的とする。
【課題を解決するための手段】
【０００６】
上記目的を達成するため、本発明の入退場管理システムにおける共連れ防止方法は、固定側に配置したコントローラと、各種情報などを予め入力したタグ間を光信号及び／又は電波にて送受信した情報と、認証用データベースの情報とに基づいて判定して位置ＩＤ及びタグＩＤを認証し、かつ該認証判定によるカウント数と、カメラによる画像分析の人数カウントとを比較し、その判定結果に基づいてタグ不携帯者の共連れ不正侵入を防止するようにしたことを特徴とする。
【０００７】
また、コントローラ、タグ間の光信号による送受信を、自立型発光ＬＥＤにて行うようにすることができる。
【０００８】
また、この場合、タグＩＤによるカウント数と、カメラによる画像分析の人数カウントとの判定結果に基づいて、防犯管理用機器を操作するように構成することができる。
【０００９】
また、この場合、防犯管理用機器を、警報器、ゲート用電気錠、録画機能を備えた録画式防犯カメラのいずれかの１又は２以上を組み合わせて構成することができる。
【発明の効果】
【００１０】
本発明の入退場管理システムにおける共連れ防止方法によれば、固定側に配置したコントローラと、各種情報などを予め入力したタグ間を光信号及び／又は電波にて送受信した情報と、認証用データベースの情報とに基づいて判定して位置ＩＤ及びタグＩＤの認証を行い、かつ該認証判定によるカウント数と、カメラによる画像分析の人数カウントとを比較し、その判定結果に基づいてタグ不携帯者の共連れ不正侵入を防止するようにしているから、タグ携帯者とタグ不携帯者が入り混じった複数の人が同時にある特定した位置又は場所を通過するような場合でもタグ不携帯者の侵入を確実に防止することができる。
【００１１】
コントローラ、タグ間の光信号による送受信を、自立型発光ＬＥＤにて行うようにしているから、１台のコントローラで多数の自立型発光ＬＥＤとの接続が可能となり、複数箇所の管理が１台のコントローラで、安価に行うことができる。
【００１２】
また、タグＩＤによるカウント数とカメラによる画像分析の人数カウントとの判定結果に基づいて、防犯管理用機器を操作するように構成しているから、タグ携帯者とタグ不携帯者の複数の人が入り混じった状態であっても容易に、確実にタグ不携帯者を識別することができる。
【００１３】
また、防犯管理用機器を、警報器、ゲート用電気錠、録画機能を備えた録画式防犯カメラのいずれかの１又は２以上を組み合わせて構成するようにしているから、防犯管理がより確実に行うことができる。
【発明を実施するための最良の形態】
【００１４】
以下、本発明の入退場管理システムにおける共連れ防止方法の実施の形態を、図面に基づいて説明する。
【実施例１】
【００１５】
図１〜図２に、本発明の入退場管理システムにおける共連れ防止方法の第１実施例を示す。
本発明は、図１に示すように、工場、事務所、役所、その他の建物、構築物等固定側、特に限定されるものではないが、例えば、壁や天井面に配設したコントローラＣＴＬと、予め特定した位置の通過者や特定場所への入場者が携帯するようにしたタグＴとから構成し、かつこタグＴには、それぞれ特定の個人情報などの各種情報を入力し、これを事業所員、作業員等が携帯或いは所持するようにし、該コントローラＣＴＬ、タグＴ間を光信号及び／又は電波にて送受信してタグからの受信信号をコントローラ側に配設した認証用データベースとに基づいて判定して位置ＩＤ及びタグＩＤを認証し、かつ該認証判定によるカウント数と、カメラによる画像分析の人数カウントとを比較し、その判定結果に基づいて警報器、ゲート用電気錠、録画機能を備えた録画式防犯カメラ等の防犯管理用機器を操作するようにして、タグ不携帯者等の不正侵入、所謂共連れを防止するように構成する。
なお、必要に応じて壁や天井面等の固定側に、人感センサー等の侵入検知センサーを配設して、コントローラ、タグによるタグ認証の補完をするようにすることもある。
【００１６】
この入退場管理システムにおける共連れ防止方法の詳細を、図１に示すフロー図に従って説明する。
コントローラＣＴＬは、特に限定されるものではないが、例えば、図１に示すように、位置ＩＤ生成回路１及び認証判定回路２よりなる計算機ＣＰＵと、外部Ｉ／Ｏ制御回路３と、前記位置ＩＤ生成回路１にて形成された位置ＩＤの信号を光信号に変換するようにして位置ＩＤ生成回路１に接続する光信号変換回路４と、タグＩＤと位置ＩＤをキーにデータベースから認証結果を取得するよう認証判定回路２に接続した認証用データベース５と、認証判定回路２と外部Ｉ／Ｏ制御回路３との間に並列的に接続し、警報器等２０、ゲート用電気錠等１９の防犯管理用操作機器を制御するようにした制御回路６及び受信機９からの受信信号を受けて外部Ｉ／Ｏ制御回路３により合成した合成ＩＤを位置ＩＤとタグＩＤに変換するようにしたＩＤ変換回路７とから構成する。
なお、必要に応じて該光信号変換回路４をコントローラＣＴＬの外部に配設することもできる。
【００１７】
また、コントローラＣＴＬの光信号変換回路４に赤外線発光器８、特に限定されるものではないが、例えば、発光ＬＥＤを接続して位置ＩＤ生成回路１からの位置ＩＤ信号を光信号に変換して赤外線を発光させるようにし、人、特に限定されるものではないが、例えば、特定の事業所員が携帯或いは所持したタグＴにてこの赤外線信号を受光できるように構成する。
この赤外線発光器８としての発光ＬＥＤは、１台のコントローラＣＴＬの光信号変換回路４に、同時に複数個を接続することができる。
【００１８】
また、この各赤外線発光器８は、特に限定されるものではないが、例えば、図２に示すように、特定の事業所員等が通過し、かつ人の入退場を検知するようにした位置や場所の複数箇所、例えば、仮想ゲートとなる通路やゲートの内外の天井面などの位置にそれぞれ配設し、各赤外線発光器８とコントローラＣＴＬ間を電気的に接続するようにし、これにより複数の仮想ゲート、ゲート等に近づく人、その人数、或いは入退場者数を管理するようにする。
【００１９】
タグＴは、人、例えば、特定の事業所員や作業者等が所持或いは携帯しやすいように、名札やバッチの如く形成して胸に装着するか、又は首から吊り下げるようにして外部の赤外線発光器８から照射される赤外線を受光できるように構成する。
【００２０】
このタグＴの構成は、図１に示すように、１つのケース内に、赤外線発光を受光できるようにした受光フォトダイオード１０と、この受光フォトダイオード１０にて受光した光信号を位置ＩＤに変換するようにした受信回路１１と、この位置ＩＤとタグＩＤ（固有ＩＤ）を合成するようにしたＩＤ合成回路１２と、合成ＩＤを電波、例えば、無線信号に合成するようにした発信回路１３とより構成し、この発信回路１３より合成ＩＤとした無線信号をアンテナ１４を介して発信するようにする。
【００２１】
このタグＴから発信される無線信号を受信するための受信器９は、特に限定されるものではないが、例えば、コントローラＣＴＬの近傍に配設し、この受信器９のアンテナ１５にて受信した無線信号をコントローラＣＴＬの外部Ｉ／Ｏ制御回路３に投入できるように配設して構成する。
この受信器９は１台で、同時に複数のタグＴ，Ｔからの信号を受信するようにするとともに、複数のゲート或いは仮想ゲートがある場合、各仮想ゲート毎に１台の受信器９を配設し、各受信器９とコントローラＣＴＬの外部Ｉ／Ｏ制御回路３とを電気的に接続するようにする。
なお、この無線信号の送受信は、特に限定されるものではないが、例えば、ＲＦＩＤ（Radio Frequency Identifiation（電波方式認識））にて行うことができる。
【００２２】
また、コントローラＣＴＬの外部Ｉ／Ｏ制御回路３には、ＩＤカウンタ１６と人数比較回路１７及び前記警報器等２０、ゲート用電気錠等１９等の防犯管理用操作機器と、通過人数カウンタ１８とを接続する。
この通過人数カウンタ１８としては、特に限定されるものではないが、例えば、図２に示すように、画像分析機能付カメラＣＡＭを採用し、該カメラによる画像を分析することで人数を確認できるようにする。
【００２３】
なお、このコントローラＣＴＬの外部Ｉ／Ｏ制御回路３には、人感センサー等の侵入検知センサーを接続することもある。
このＩＤカウンタ１６と人数比較回路１７は、図１に示す実施例においては、コントローラＣＴＬの外部に配設して、該コントローラＣＴＬと電気的に接続するようにしているが、コントローラＣＴＬの内部に組み込み、一体とすることもでき、この外部Ｉ／Ｏ制御回路３、ＩＤカウンタ１６、人数比較回路１７及び通過人数カウンタ１８により画像分析による人数カウント回路を構成する。
【００２４】
次に、本発明の作用を、第１実施例に基づいて説明する。
図２に示すように、予め定めた情報等を入力したタグＴを所持又は携帯した事業所員、作業員などが、予め特定された位置や場所、例えば、仮想ゲート内の赤外線発光器８、例えば、発光ＬＥＤより照射される赤外線の受光エリア内に侵入すると、該仮想ゲート等内には常時光信号変換回路４にて位置ＩＤを光信号に変換され、赤外線発光器８の発光ＬＥＤから赤外線が発光されているので、この光信号としての位置ＩＤ信号をタグＴの受光フォトダイオード１０にて受光し、この光信号を受信回路１１にて位置ＩＤに変換し、次いでＩＤ合成回路１２により、この位置ＩＤとタグＩＤ（固有ＩＤ）を合成した合成ＩＤを発信回路１３よりアンテナ１４を介して電波、例えば、無線信号にて発信する。
【００２５】
この無線信号となった合成ＩＤを受信器９のアンテナ１５にて受信し、その受信信号をコントローラＣＴＬ内の外部Ｉ／Ｏ制御回路３に伝達する。この受信した合成ＩＤをコントローラＣＴＬ内のＩＤ変換回路７にて解析し、合成ＩＤを位置ＩＤとタグＩＤ（固有ＩＤ）の信号に分解して認証判定回路２に伝達する。
この認証判定回路２では、タグＩＤと位置ＩＤをキーに認証用データベース５内部のセキュリティ情報と比較して認証判定するとともに、認証結果を制御回路６にて制御信号として外部Ｉ／Ｏ制御回路３に伝達されるが、この場合、認証結果が良（ＯＫ）であれば、認証判定回路２より外部機器制御指示を出し、これを制御回路６にて制御信号として外部Ｉ／Ｏ制御回路３に伝達し、ゲート或いは仮想ゲートに付設したゲート用電気錠１９を解錠する指令を発するようになる。
【００２６】
しかし、この場合、ゲート或いは仮想ゲートには、画像分析を行うためのカメラＣＡＭを設置しているから、ゲート或いは仮想ゲートを通過せんとするすべての人の画像をもとらえているので、このカメラの画像は分析され、その画像から通過せんとする人数を認証し、このカウント人数をも前記外部Ｉ／Ｏ制御回路３に伝達される。
この画像分析によるカウント人数を外部Ｉ／Ｏ制御回路３から人数比較回路１７に投入するとともに、該人数比較回路１７には、タグＴ数をカウントした情報を、前記外部Ｉ／Ｏ制御回路３、ＩＤ変換回路７を経てＩＤカウンタ１６からも得ているので、該人数比較回路１７にてタグ数をより得たタグ数カウントとカメラＣＡＭから得た画像分析人数カウントとを比較する。その比較結果が共に一致するならば外部Ｉ／Ｏ制御回路３によりゲート或いは仮想ゲートに付設したゲート用電気錠１９を解錠するようにしてタグＴを携帯した人を通過可能とする。
【００２７】
ところが、外部Ｉ／Ｏ制御回路３によりＩＤ変換回路７、ＩＤカウンタ１６を経て得たタグ数をより得たタグ数カウントと画像分析人数カウントとを比較して、例えば、図２に示すように、タグの不携帯者Ｍｃが共連れとなってタグ携帯者Ｍａ，Ｍｂと一緒に通過せんとすると、該両情報が外部Ｉ／Ｏ制御回路３にて不一致と認定とされ、前記認証判定回路２より外部機器制御指示が出されていても、その外部機器制御指示は、ゲート用電気錠１９を施錠した状態を保持し、警報器２０を動作するようになる。これにより、タグ不携帯者がいる場合、ゲート或いは仮想ゲートの通過を阻止するようになり、タグ不携帯者Ｍｃの不正侵入を未然に防止することができる。
【００２８】
また、警報器２０としては、警報音を発するベルやブザーを用いることも、さらにはパトライトの如く強力な光を発する発光器を用いることができる。なお、このベルやブザーと発光器とを組み合わせることもできる。
さらに、このゲート用電気錠１９の代わりに、前記カメラによる画像を録画するように作動させたり、カラーボール投てき器を採用したりすることができる。
【００２９】
タグＴの発信回路１３と受信器９間の受信は、無線信号に限定されることなく、光信号とすることもできる。この場合は、発信回路１３により赤外線を発するようにし、受信器９にて受光するように構成する。
【００３０】
以上、本発明の入退場管理システムにおける共連れ防止方法について、実施例に基づいて説明したが、本発明は上記実施例に記載した構成に限定されるものではなく、その趣旨を逸脱しない範囲において適宜その構成を変更することができるものである。
【産業上の利用可能性】
【００３１】
本発明の入退場管理システムにおける共連れ防止方法は、タグによる認証とカメラによる画像分析結果との比較にて通過人数を検知するという特性を有していることから、入退場管理システムにおける共連れ防止方法の用途に好適に用いることができるほか、例えば、病院や福祉施設において徘徊する病人や老人などの監視や防犯の用途にも用いることができる。
【図面の簡単な説明】
【００３２】
【図１】本発明の入退場管理システムにおける共連れ防止方法の第１実施例を示すフロー図である。
【図２】本発明の共連れ防止の説明図である。
【符号の説明】
【００３３】
ＣＴＬ  コントローラ
ＣＰＵ  計算機
Ｔ    タグ
１    位置ＩＤ生成回路
２    認証判定回路
３    外部Ｉ／Ｏ制御回路
４    光信号変換回路
５    認証用データベース
６    制御回路
７    ＩＤ回路
８    赤外線発光器（発光ＬＥＤ）
９    受信機
１０  受光フォトダイオード
１１  受信回路
１２  ＩＤ合成回路
１３  発信回路
１４  アンテナ
１５  アンテナ
１６  ＩＤカウンタ
１７  人数比較回路
１８  通過人数カウンタ
１９  ゲート用電気錠等
２０  警報器等
【図１】
2006099381.tif 000003
【図２】
2006099381.tif 000004
【手続補正書】
【提出日】平成16年10月20日(2004.10.20)
【手続補正１】
【補正対象書類名】明細書
【補正対象項目名】００２１
【補正方法】変更
【補正の内容】
【００２１】
このタグＴから発信される無線信号を受信するための受信器９は、特に限定されるものではないが、例えば、コントローラＣＴＬの近傍に配設し、この受信器９のアンテナ１５にて受信した無線信号をコントローラＣＴＬの外部Ｉ／Ｏ制御回路３に投入できるように配設して構成する。
この受信器９は１台で、同時に複数のタグＴ，Ｔからの信号を受信するようにするとともに、複数のゲート或いは仮想ゲートがある場合、各仮想ゲート毎に１台の受信器９を配設し、各受信器９とコントローラＣＴＬの外部Ｉ／Ｏ制御回路３とを電気的に接続するようにする。
なお、この無線信号の送受信は、特に限定されるものではないが、例えば、ＲＦＩＤ（Radio Frequency Identification（電波方式認識））にて行うことができる。